【手続補正書】
【提出日】平成19年10月10日(2007.10.10)
【手続補正１】
【補正対象書類名】特許請求の範囲
【補正対象項目名】全文
【補正方法】変更
【補正の内容】
【特許請求の範囲】
【請求項１】
少なくとも第一及び第二編集環境を含む複数の編集環境を用いてウェブサイトを編集する編集方法であり、
当該ウェブサイトは、複数のウェブページで構成され当該第一編集環境内に記憶されており、
当該第一編集環境において、
当該複数のウェブページの一部をユーザが部分サイトとして指定するのを受け付ける指定ステップと、
当該部分サイトに含まれるウェブページに対応する固有ファイルと、当該部分サイトの編集に利用され得る共通ファイルとを含む編集ファイルを生成する生成ステップと
を有するウェブサイトの編集方法。
【請求項２】
前記共通ファイルは、前記部分ウェブサイトに含まれない他のウェブページに関連するファイルである請求項１に記載の編集方法。
【請求項３】
前記共通ファイルは、前記部分サイトに含まれない他のウェブページが有するウェブ素材に関連するファイルを含む請求項１又は２に記載の編集方法。
【請求項４】
前記共通ファイルは、前記部分サイトを構成するウェブページからのリンク先を示すリンク情報を含む請求項１乃至３のいずれかに記載の編集方法。
【請求項５】
前記指定ステップは、
前記ウェブサイトを構成する複数のウェブページをそのリンク関係に基づいてツリー構造で表示する表示サブステップと、
ツリー構造で表示されたあるウェブページとその下位のウェブページとを部分サイトとしてユーザが指定するのを受け付ける指定サブステップと
を有する請求項１乃至４のいずれかに記載の編集方法。
【請求項６】
前記生成ステップは、
前記部分サイトに含まれず、かつ当該部分サイトの編集に利用され得る他のウェブページに関連するファイルについてユーザの選択を受け付ける選択サブステップと、
当該ユーザに選択されたファイルを共通ファイルとする共通化サブステップと
を有する請求項１乃至５のいずれかに記載の編集方法。
【請求項７】
前記生成ステップは、
前記ウェブサイトに対応するフォルダの下位階層に前記編集ファイルに対応する編集フォルダを生成する請求項１乃至６のいずれかに記載の編集方法。
【請求項８】
前記生成ステップで生成された編集ファイルを第一編集環境から第二編集環境へエクスポートするエクスポートステップを有する請求項１乃至７のいずれかに記載の編集方法。
【請求項９】
前記第二編集環境において、
前記エクスポートステップでエクスポートされた編集ファイルをユーザが編集するのを受け付ける編集ステップを有する請求項８に記載の編集方法。
【請求項１０】
前記編集ステップでは、ユーザが共通ファイルを利用して前記固有ファイルを編集するのを受け付ける請求項９に記載の編集方法。
【請求項１１】
前記編集ステップでは、前記共通ファイルをユーザが編集するのを受け付けない請求項９又は１０に記載の編集方法。
【請求項１２】
前記共通ファイルは、前記部分サイトを構成するウェブページからのリンク先を示すリンク情報を含み、
前記編集ステップでは、前記固有ファイルに当該リンク情報を付加する請求項９乃至１１のいずれかに記載の編集方法。
【請求項１３】
前記第二編集環境において、
前記編集ステップで編集された編集ファイルに基づいて部分サイトを表示する表示ステップを有する請求項９乃至１２のいずれかに記載の編集方法。
【請求項１４】
前記共通ファイルは、前記部分サイトに含まれない他のウェブページが有するウェブ素材への第一編集環境における相対パス情報及び当該ウェブ素材のメタ情報とを含み、
前記編集ステップでは、前記固有ファイルに当該相対パス情報及びメタ情報を付加し  前記表示ステップでは当該ウェブ素材を当該メタ情報に基づいて表示させる請求項１３に記載の編集方法。
【請求項１５】
前記共通ファイルは、前記部分サイトに含まれない他のウェブページが有するウェブ素材の実情報を含み、
前記編集ステップでは、前記固有ファイルに当該実情報を付加し、
前記表示ステップでは当該ウェブ素材を当該実情報に基づいて表示させる請求項１３又は１４に記載の編集方法。
【請求項１６】
前記ウェブサイトは情報通信ネットワーク上のウェブサーバへアップロードされており、
前記共通ファイルは、前記部分サイトに含まれない他のウェブページが有するウェブ素材への情報通信ネットワークにおける絶対パス情報を含み、
前記編集ステップでは、前記固有ファイルに当該絶対パス情報を付加し、
前記表示ステップでは当該絶対パス情報に基づいて当該ウェブ素材のウェブサーバ上における実情報を得て、当該実情報に基づいて当該ウェブ素材を表示させる請求項１３乃至１５のいずれかに記載の編集方法。
【請求項１７】
前記編集ステップで編集された編集ファイルを第二編集環境から第一編集環境へインポートするインポートステップと、
前記第一編集環境において、
当該インポートステップでインポートされた編集ファイルに基づいてウェブサイトを再構築する再構築ステップと
を有する請求項９乃至１６のいずれかに記載の編集方法。
【請求項１８】
前記複数の編集環境として、第三編集環境を含み、
前記第一編集環境において、
当該複数のウェブページの一部を第一部分サイトとして指定する第一指定ステップと、
当該複数のウェブページの他の一部を第二部分サイトとして指定する第二指定ステップと、
当該第一部分サイトに含まれるウェブページに対応する第一固有ファイルと、当該第一部分サイトの編集に潜在的に利用される第一共通ファイルとを含む第一編集ファイルを生成する第一生成ステップと、
当該第二部分サイトに含まれるウェブページに対応する第二固有ファイルと、当該第二部分サイトの編集に潜在的に利用される第二共通ファイルとを含む第二編集ファイルを生成する第二生成ステップと、
当該第一生成ステップで生成された第一編集ファイルを第一編集環境から第二編集環境へエクスポートする第一エクスポートステップと、
当該第二生成ステップで生成された第二編集ファイルを第一編集環境から第三編集環境へエクスポートする第二エクスポートステップと
を備える請求項１乃至１７のいずれかに記載の編集方法。
【請求項１９】
前記複数の編集環境は、情報通信ネットワークにより相互に接続される複数の編集システムである請求項１乃至１８のいずれかに記載の編集方法。
【請求項２０】
ウェブサイトを編集する編集システムであり、
複数のウェブページで構成される当該ウェブサイトを記憶する記憶手段と、
当該複数のウェブページの一部をユーザが部分サイトとして指定するのを受け付ける指定手段と、
当該部分サイトに含まれるウェブページに対応する固有ファイルと、当該部分サイトの編集に利用され得る共通ファイルとを含む編集ファイルを生成する生成手段と
を有するウェブサイトの編集システム。
【請求項２１】
前記生成手段により生成された編集ファイルを当該編集システムから他の編集システムへエクスポートするエクスポート手段を有する請求項２１に記載の編集システム。
【請求項２２】
ウェブサイトを編集する編集システムであり、
当該ウェブページは複数のウェブページで構成され、
当該複数のウェブページの一部を部分サイトとし、
当該部分サイトに含まれるウェブページに対応する固有ファイルと、当該部分サイトの編集に利用され得る共通ファイルとを編集ファイルとし、
他の編集システムから当該編集ファイルのエクスポートを受け付ける入力手段と、
当該入力手段によりエクスポートされた編集ファイルをユーザが編集するのを受け付ける編集手段と
を有する編集システム。
【請求項２３】
前記編集手段は、前記固有ファイルをユーザが編集するのを受け付け、前記共通ファイルをユーザが編集するのを受け付けない請求項２２に記載の編集システム。
【請求項２４】
前記編集手段により編集された編集ファイルに基づいて部分サイトを表示する表示手段を有する請求項２２に記載の編集システム。
【請求項２５】
前記編集手段により編集された編集ファイルを当該編集システムから他の編集システムへインポートするインポート手段を有する請求項２２に記載の編集システム。
【請求項２６】
ウェブサイトを編集する編集システムとしてコンピュータを機能させるためのコンピュータプログラムであり、
当該コンピュータに、
複数のウェブページで構成される当該ウェブサイトを記憶する記憶機能と、
当該複数のウェブページの一部をユーザが部分サイトとして指定するのを受け付ける指定機能と、
当該部分サイトに含まれるウェブページに対応する固有ファイルと、当該部分サイトの編集に利用され得る共通ファイルとを含む編集ファイルを生成する生成機能と
を実現させるプログラム。
【請求項２７】
前記コンピュータに、前記生成機能により生成された編集ファイルを当該編集システムから他の編集システムへエクスポートするエクスポート機能を実現させる請求項２６に記載のプログラム。
【請求項２８】
ウェブサイトを編集する編集システムとしてコンピュータを機能させるためのコンピュータプログラムであり、
当該ウェブページは複数のウェブページで構成され、
当該複数のウェブページの一部を部分サイトとし、
当該部分サイトに含まれるウェブページに対応する固有ファイルと、当該部分サイトの編集に利用され得る共通ファイルとを編集ファイルとし、
当該コンピュータに、
他の編集システムから当該編集ファイルのエクスポートを受け付ける入力機能と、
当該入力手段によりエクスポートされた編集ファイルをユーザが編集するのを受け付ける編集機能と
を実現させるプログラム。
【請求項２９】
前記編集機能は、前記固有ファイルをユーザが編集するのを受け付け、前記共通ファイルをユーザが編集するのを受け付けない請求項２８に記載のプログラム。
【請求項３０】
前記コンピュータに、前記編集機能により編集された編集ファイルに基づいて部分サイトを表示する表示機能を実現させる請求項２８又は２９に記載のプログラム。
【請求項３１】
前記コンピュータに、前記編集機能により編集された編集ファイルを当該編集システムから他の編集システムへインポートするインポート機能を実現させる請求項２８乃至３０のいずれかに記載のプログラム。